(57)【特許請求の範囲】
【請求項１】
厨房家具の天板部に設けられたシンクの内壁に壁出し水栓金具が取付けられた厨房家具であって、
前記シンクのほぼ前側縁からほぼ後側縁まで至る洗剤用ラックを、前記壁出し水栓金具の基部に着脱可能に装着し、
前記洗剤用ラックの上端縁を前記天板部の上面より若干下げて配置し、
前記洗剤用ラックには平面視でコ字状の切欠き部を形成するとともに、この切欠き部の対向する両内面には係合部をそれぞれ形成し、
前記壁出し水栓金具の前記基部の両外面には被係合部をそれぞれ形成し、
前記洗剤用ラックを水平移動させてこの洗剤用ラックの前記係合部を前記壁出し水栓金具の前記被係合部に係合させることにより、前記洗剤用ラックの前記切欠き部で前記基部を囲うようにしたことを特徴とする洗剤用ラックを有する厨房家具。
【請求項２】
請求項１に記載の洗剤用ラックを有する厨房家具であって、
前記係合部は、前記洗剤用ラックの前記対向する両内面に水平方向に延びてそれぞれ形成された凸状部であり、
前記被係合部は、前記壁出し水栓金具の前記基部の前記両外面に水平方向に延びてそれぞれ形成されて前記凸状部が係合可能な凹状溝部であることを特徴とする洗剤用ラックを有する厨房家具。
【請求項３】
請求項１または２に記載の洗剤用ラックを有する厨房家具であって、
前記厨房家具は対面式キッチンであり、平面視で左右方向の中心軸線上にまたはこの中心軸線の近傍に沿って、前記壁出し水栓金具とシンクと少なくとも一つのコンロバーナとを配置し、
前記天板部には、前方側に位置して左右方向に延びた前方側作業領域と、後方側に位置して左右方向に延びた後方側作業領域とを確保していることを特徴とする洗剤用ラックを有する厨房家具。
【発明の詳細な説明】
【技術分野】
【０００１】
本発明は、天板部に設けられたシンクの内壁に壁出し水栓金具が取付けられ、この壁出し水栓金具の基部に洗剤用ラックが装着された、洗剤用ラックを有する厨房家具に関する。
【背景技術】
【０００２】
システムキッチンなど厨房家具では、天板面（カウンター面）から一段落とし込んだシンク縁まわりの平面部に水栓金具が取付けられていることが多い。この水栓金具が取付けられた平面部に洗剤用ラックを置くと、水栓金具や洗剤用ラックの周囲に水垢が溜まりやすくなり、また、水栓金具が邪魔になって清掃がし難く見栄えもよくない。
特許文献１（特開平５−１９２２６１号公報）には、水栓に装着される装着部と、この装着部に支持されてシンクの内壁に沿うかご本体とを有する収納かごが記載されている。
【特許文献１】特開平５−１９２２６１号公報
【発明の開示】
【発明が解決しようとする課題】
【０００３】
特許文献１に記載の収納かごは、シンクの内部に吊り下げられた格好で取付けられるとともにシンクの内壁から突出している。そのため、シンクで作業を行うときに収納かごが邪魔になり、また、その周囲の清掃がし難い上に見栄えの点も課題があった。
また、別の従来技術として、突起物を備えた吸盤をシンクの内壁に貼り付け、突起物に洗剤用ラックを掛けて、これをシンク内側に収めるタイプの洗剤用ラックも知られているが、吸盤が衝撃によって外れ易く、洗剤用ラックがシンクでの作業の邪魔になり、見栄えも悪かった。
【０００４】
さらに他の従来の洗剤用ラックとしては、シンクの縁のまわりに予め取付けられた取付け部品に洗剤用ラックを係合させ、この洗剤用ラックがシンクの内側に着脱可能な状態で収まるように設計されているものも知られている。
この取付け部品は、シンクの上面から上方に突出しているので、この取付け部品の周囲に水垢が溜まり易く、また、水栓金具，洗剤用ラックおよび取付け部品などによってシンク縁まわりの平面部が雑然として清掃し難い上に見栄えもよくなかった。
【０００５】
本発明は、このような課題を解決するためになされたもので、シンク縁まわりの水栓部分での余計な突起をなくして、シンクでの作業の邪魔にならず、清掃性と見栄えを向上させることができ、また、天板部が洗剤で汚れることのない、洗剤用ラックを有する厨房家具を提供することを目的とする。
【課題を解決するための手段】
【０００６】
上述の目的を達成するため、本発明にかかる洗剤用ラックを有する厨房家具は、厨房家具の天板部に設けられたシンクの内壁に壁出し水栓金具が取付けられた厨房家具であって、前記シンクのほぼ前側縁からほぼ後側縁まで至る洗剤用ラックを、前記壁出し水栓金具の基部に着脱可能に装着し、前記洗剤用ラックの上端縁を前記天板部の上面より若干下げて配置し、前記洗剤用ラックには平面視でコ字状の切欠き部を形成するとともに、この切欠き部の対向する両内面には係合部をそれぞれ形成し、前記壁出し水栓金具の前記基部の両外面には被係合部をそれぞれ形成し、前記洗剤用ラックを水平移動させてこの洗剤用ラックの前記係合部を前記壁出し水栓金具の前記被係合部に係合させることにより、前記洗剤用ラックの前記切欠き部で前記基部を囲うようにしている。
この場合、前記係合部は、前記洗剤用ラックの前記対向する両内面に水平方向に延びてそれぞれ形成された凸状部であり、前記被係合部は、前記壁出し水栓金具の前記基部の前記両外面に水平方向に延びてそれぞれ形成されて前記凸状部が係合可能な凹状溝部であるのが好ましい。
他の実施態様にかかる洗剤用ラックを有する厨房家具は、厨房家具の天板部に設けられたシンクの内壁に壁出し水栓金具が取付けられた厨房家具であって、前記シンクのほぼ前側縁からほぼ後側縁まで至る洗剤用ラックを、前記壁出し水栓金具の基部に着脱可能に装着し、前記洗剤用ラックの上端縁を前記天板部の上面より若干下げて配置し、前記洗剤用ラックには平面視でＵ字状の切欠き部を形成し、この切欠き部を前記壁出し水栓金具の筒状の本体部に着脱可能に係合させるとともに、この本体部の下部に設けられている前記基部に前記切欠き部の周縁部を載置して前記洗剤用ラックを位置決めしている。
また、前記洗剤用ラックが前記壁出し水栓金具に装着された状態で、前記洗剤用ラックのシンク側露出面は前記基部の露出面とほぼ面一になっているのが好ましい。
前記各厨房家具は対面式キッチンであり、平面視で左右方向の中心軸線上にまたはこの中心軸線の近傍に沿って、前記壁出し水栓金具とシンクと少なくとも一つのコンロバーナとを配置し、前記天板部には、前方側に位置して左右方向に延びた前方側作業領域と、後方側に位置して左右方向に延びた後方側作業領域とを確保しているのが好ましい。
【発明の効果】
【０００７】
本発明にかかる洗剤用ラックを有する厨房家具は、上述のように構成したので、シンク縁まわりの水栓部分での余計な突起をなくしてシンクでの作業の邪魔にならず、清掃性と見栄えを向上させることができ、また、天板部が洗剤で汚れることがなくなる。
【発明を実施するための最良の形態】
【０００８】
下記の実施例にかかる洗剤用ラックを有する厨房家具は、天板部に設けられたシンクの内壁に壁出し水栓金具が取付けられている。シンクのほぼ前側縁からほぼ後側縁まで至る洗剤用ラックを、壁出し水栓金具の基部に着脱可能に装着し、この洗剤用ラックの上端縁を天板部の上面より若干下げて配置している。
これにより、シンク縁まわりの水栓部分での余計な突起をなくしてシンクでの作業の邪魔にならず、清掃性と見栄えを向上させることができ、また、天板部が洗剤で汚れることのないようにするという目的を実現している。
【０００９】
本発明における厨房家具は、台所やダイニングルームなどに設置されるキッチン（たとえば、複合厨房家具の一種であるシステムキッチン，セクショナルキッチン）が一般的である。
下記の実施例では、厨房家具が対面式キッチンである場合を例にとって説明する。なお、本発明は、対面式キッチン以外のキッチン、たとえば、前方側のみでユーザーが調理など作業を行うようにしたキッチンにも適用可能である。
【実施例】
【００１０】
以下、本発明にかかる実施例を図１ないし図８を参照して説明する。
図１ないし図４は本発明の第１の実施例を示す図で、図１は、対面式キッチンの斜視図、図２は、洗剤用ラックを取付ける手順を示す斜視図、図３は洗剤用ラックの斜視図、図４は、図２（Ｃ）のIV−IV線部分断面図である。
図５ないし図８は本発明の第２の実施例を示す図で、図５は対面式キッチンの斜視図、図６は、洗剤用ラックを取付ける手順を示す斜視図、図７は洗剤用ラックの斜視図、図８は、図６（Ｃ）のVIII−VIII線部分断面図である。
なお、説明の便宜上、各図中の符号Ｄ1，Ｄ2，Ｄ3，Ｄ4で示す各方向を、それぞれ対面式キッチンの左方，右方，前方，後方とする。
【００１１】
図１，図５に示すように、厨房家具としての対面式キッチン１は、全体的に左右方向に延びた所定の形状（ここでは、矩形状）をなして、台所やダイニングルームに設置されている。対面式キッチン１は、左右方向に延びた矩形状のキャビネット２と、キャビネット２の上部を覆って取付けられた天板部３とを有している。
対面式キッチン１は、平面視で左右方向の中心軸線ＣＬ上に（または、この中心軸線ＣＬの近傍に沿って）、壁出し水栓金具４とシンク５と少なくとも一つの（ここでは、二つの）コンロバーナ６とが配置されている。壁出し水栓金具４は、シンク５の垂直な内面すなわちシンク内壁１８に取付けられる水栓の一種である。
天板部３には、前方側に位置して左右方向に延びた前方側作業領域７と、後方側に位置して左右方向に延びた後方側作業領域８とが、積極的に確保されている。前方側作業領域７と後方側作業領域８の各奥行き寸法（前後方向の寸法）Ｅはたとえば１５０mm以上であり、この十分な奥行き寸法Ｅにより、調理用の作業スペースが十分に確保されている。
【００１２】
したがって、二人のユーザーは、対面式キッチン１の前方側と後方側で、相手に邪魔されず且つ相手の邪魔にならず、調理などにおける同一または異なる各種作業をそれぞれ独立して同時に行うことができる。
天板部３に前方側作業領域７と後方側作業領域８を確保したので、シンク５やコンロバーナ６の各前方や後方の作業領域７，８に調理道具や食材などを置くことができ、天板部３の中央の調理スペースを常に整然とした状態に保つことができる。
壁出し水栓金具４，シンク５および複数（ここでは、二つ）のコンロバーナ６は、中心軸線ＣＬ上に配置されているので、前方のユーザーと後方のユーザーのいずれからも近いところに位置することになり、二人のユーザーは、これら壁出し水栓金具４などに容易に手を伸ばして作業することができる。
対面式キッチン１の前方側では一人のユーザーが作業し、後方側では他の一人のユーザーが作業を行うので、対面式キッチン１の間口Ｌが短くなる。その結果、対面式キッチン１を使用するユーザーが一人でも二人でも、作業時の身体の動線が短くてすみ、ユーザーにとって作業の負担が軽減される。
【００１３】
前方側作業領域７と後方側作業領域８は、それぞれ対面式キッチン１の間口Ｌのほぼ全体に設定されている。したがって、前方のユーザーは、広い前方側作業領域７を使って各種作業を自在に且つ快適に行うことができ、また、後方のユーザーも、広い後方側作業領域８を使って各種作業を自在に且つ快適に行うことができる。この作業を行う際に、ユーザー同士は、相手に邪魔されず且つ相手の邪魔にならない。
前方側作業領域７と後方側作業領域８は、それぞれ前方側のユーザーと後方側のユーザーのすぐ近くに配置されているので、各ユーザーは各作業領域７，８で、力を要する作業（たとえば、食材を切ったり、混ぜたり、こねたりする作業）を容易に且つ能率よく行うことができ、使い勝手がよい。
【００１４】
本実施例では、対面式キッチン１は、左右方向の中心軸線ＣＬに対して前後対称の構造を有し、壁出し水栓金具４，シンク５およびコンロバーナ６は、この中心軸線ＣＬ上に配置されている。
その結果、壁出し水栓金具４やコンロバーナ６の配置、およびシンク５やコンロ１３の構造を共通化することができ、キャビネット２，天板部３の設計，製造および各種部品の在庫管理が容易になる。
【００１５】
キャビネット２の前面（前方Ｄ3側の面）には、少なくとも引き出し（たとえば、複数の引き出し１５，１６，１７など）が、引き出し収納自在に設けられ、被収納物を収納可能になっている。キャビネット２の後面（後方Ｄ4側の面）にも、少なくとも他の引き出しが引き出し収納自在に設けられ、被収納物を収納可能になっている。
これにより、対面式キッチン１の前方側で作業を行うユーザーと、後方側で作業を行う他のユーザーは、反対側にわざわざ移動しなくても、被収納物を引き出しに対して出し入れして、調理などの作業を独立して同時に行うことができる。
キャビネット２の前面と後面には、コンロ１３のコンロバーナ６を操作するためのコンロ操作部１２がそれぞれ設けられている。その結果、各ユーザーは、わざわざ反対側に移動しなくても、コンロ操作部１２を操作して各コンロバーナ６を他のユーザーから独立して同時に使用することができる。
【００１６】
天板部３は、天板部３の外周部を構成して前方側作業領域７と後方側作業領域８とを有するワークトップ（すなわち、外周側天板）１０と、平面視でこのワークトップ１０に囲まれて内方に配置され、壁出し水栓金具４，シンク５およびコンロバーナ６が少なくとも設けられた中央側天板１１とを有している。
天板部３を、ワークトップ１０と中央側天板１１の二つの部材に分割したので、ワークトップ１０と中央側天板１１をそれぞれ最適な素材で構成することができる。
たとえば、中央側天板１１は、壁出し水栓金具４とシンク５とコンロ１３とが設けられているので、耐熱性に優れて傷が付きにくいステンレス製板により構成されている。他方、ワークトップ１０は、人造大理石により構成すれば、高熱に弱く傷が付きやすいが外観的に美しく高級感があり且つ耐久性に優れている点で好ましい。
【００１７】
天板部３の上面全体を平面状にするために、ワークトップ１０の上面と中央側天板１１の上面はほぼ面一になっている。これにより、天板部３の上面に段差がなくなって、調理器具や食器類を天板部３上のどこに置いても安定するので好ましい。
前記構成の天板部３の上面（すなわち、シンク５，コンロバーナ６を除いた平面状の上面）は、段差がないので広い調理台として使用することができ、特に、コンロバーナ６のすぐ近くまで調理スペースとして使用することができるので、使い勝手がよい。
【００１８】
シンク５は天板部３に設けられおり、壁出し水栓金具４は、シンク５の内壁１８に取付けられている。壁出し水栓金具４は、シンク内壁１８に直接取付けられている基部２５と、基部２５に固定された筒状（ここでは、円筒状）の本体部２６とを有している。基部２５は平面視でほぼ矩形をなしており、その中心部には本体部２６が上方に突出して設けられている。
本体部２６は、水や温水の出口部２７を有して水平面内で揺動可能なシャワーヘッド２８と、水と温水との切り換え，流量調節および温度調節を行うための操作レバー２９とを有している。
【００１９】
図１ないし図４に示すように、第１の実施例にかかる対面式キッチン１では、シンク５のほぼ前側縁３０からほぼ後側縁３１まで至る洗剤用ラック９が、壁出し水栓金具４の基部２５に着脱可能に装着されている。洗剤用ラック９の上端縁は、天板部３の上面より若干下げて配置されている。洗剤用ラック９には、洗剤の容器や洗浄用のスポンジなどが収納される。
これにより、シンク縁まわりの水栓部分（壁出し水栓金具４のところ）での余計な突起をなくして、シンク５での作業の邪魔にならず、清掃性と見栄えを向上させることができ、また、天板部３が洗剤で汚れることがない。
【００２０】
洗剤用ラック９は、合成樹脂製で全体が一体成形されており、洗剤用ラック９には、平面視でＵ字状の切欠き部３５が形成されている。洗剤用ラック９には、切欠き部３５を挟んで両側に一対の凹部４０が形成され、この各凹部４０に洗剤の容器やスポンジなどを収納するようになっている。
切欠き部３５は、壁出し水栓金具４の筒状の本体部２６に着脱可能に係合するようになっている。そして、本体部２６の下部に設けられている基部２５に、切欠き部３５の周縁部３６が載置されて、洗剤用ラック９が位置決めされるようになっている。
切欠き部３５の下方には、互いに平行で対向する平面状の一対の対向面３７が形成され、この一対の対向面３７が、基部２５の外側に形成された平行な一対の外面３８に摺接するようになっている。
また、洗剤用ラック９が基部２５にセットされた状態で、洗剤用ラック９の裏面３９がシンク５の左側の内壁１８に当接するようになっている。
【００２１】
したがって、洗剤用ラック９が基部２５に装着されてセットされると、切欠き部３５の周縁部３６が基部２５に載置されるので、洗剤用ラック９の下方向への移動が規制されて位置決めがなされる。また、洗剤用ラック９の一対の対向面３７が基部２５の一対の外面３８に密着するので、洗剤用ラック９は前後方向に動かないように規制されて位置決めされる。
さらに、切欠き部３５が壁出し水栓金具４の本体部２６に係合し、且つ、洗剤用ラック９の裏面３９が、シンク５の左側の内壁１８に当接する。これにより、洗剤用ラック９は、壁出し水栓金具４とシンク内壁１８とにより左右方向に挟まれた状態になるので、左右方向に動かないように位置決めされる。
こうして、洗剤用ラック９は、下方向，前後方向，左右方向に関して動かないように規制されて、しっかりと位置決め保持される。
【００２２】
洗剤用ラック９を装着する場合には、図２（Ａ）に示すように、洗剤用ラック９を壁出し水栓金具４の左側に位置させ、切欠き部３５が本体部２６に近づくように、洗剤用ラック９を矢印Ｂ1に示すように右方向に水平移動させる。
図２（Ｂ）に示すように、やがて切欠き部３５が本体部２６に係合した後、洗剤用ラック９を矢印Ｂ2に示すように押し下げる。
そうすると、図２（Ｃ）に示すように、切欠き部３５の周縁部３６が基部２５の上面に当接する。これにより、洗剤用ラック９は、下方向，前後方向，左右方向に関して動かないように規制されて位置決め保持される。
【００２３】
こうして、洗剤用ラック９が壁出し水栓金具４に装着されると、洗剤用ラック９のシンク側露出面４１は、基部２５の露出面４２とほぼ面一になる。これにより、余計な突起がなくなってシンク５での作業の邪魔になることがなく、清掃性と見栄えも向上する。
また、洗剤用ラック９の上面が天板部３の上面より若干下げて配置されているので、洗剤用ラック９に収納されている洗剤を使用したとき、この洗剤はシンク５内に落ちるので、天板部３が洗剤で汚れる恐れがない。
【００２４】
図５ないし図８に示すように、第２の実施例にかかる対面式キッチン１では、洗剤用ラック９ａの形状が若干異なっているが、他の構成は第１の実施例と同じ構成である。したがって、同じ構成の部分には同一符号を付してその説明を省略し、異なる部分のみ説明する。
この第２の実施例にかかる対面式キッチン１では、シンク５のほぼ前側縁３０からほぼ後側縁３１まで至る洗剤用ラック９ａが、壁出し水栓金具４の基部２５に着脱可能に装着されている。そして、洗剤用ラック９ａの上端縁は、天板部３の上面より若干下げて配置されている。
これにより、シンク縁まわりの水栓部分（壁出し水栓金具４のところ）での余計な突起がなくなるので、シンク５での作業の邪魔にならず、清掃性と見栄えが向上し、また、天板部３が洗剤で汚れる恐れがなくなる。
【００２５】
洗剤用ラック９ａには、平面視でコ字状の切欠き部３５ａが形成されている。洗剤用ラック９ａには、切欠き部３５ａを挟んで両側に凹部４０が形成されている。この各凹部４０に洗剤の容器やスポンジなどが収納される。
切欠き部３５ａの対向する両内面３７ａには、一対の係合部４３がそれぞれ形成されている。壁出し水栓金具４の基部２５の両外面３８には、一対の被係合部４４がそれぞれ形成されている。そして、洗剤用ラック９ａを、矢印Ｃ1に示すように水平移動させて、洗剤用ラック９ａの係合部４３を、壁出し水栓金具４の被係合部４４に係合させることにより、洗剤用ラック９ａの切欠き部３５ａで基部２５を囲うようにしている。
これにより、洗剤用ラック９ａは、上下方向，前後方向および左方向に関して動かないように規制されて位置決め保持される。
【００２６】
第２実施例では、洗剤用ラック９ａに形成された係合部は、洗剤用ラック９ａの対向する両内面３７ａに水平方向に延びてそれぞれ形成された一対の凸状部４３である。また、壁出し水栓金具４に形成された被係合部４４は、基部２５の両外面３８に水平方向に延びてそれぞれ形成され、一対の凸状部４３が係合可能な一対の凹状溝部４４である。
そして、洗剤用ラック９ａを矢印Ｃ1（図６（Ａ））に示すように水平に移動させれば、凸状部４３が凹状溝部４４に係合しながらスライドするので、洗剤用ラック９ａは基部２５にスムーズに装着される。
【００２７】
洗剤用ラック９ａを壁出し水栓金具４に取付ける場合には、図６（Ａ）に示すように、洗剤用ラック９ａを矢印Ｃ1に示すように水平移動させる。すると、洗剤用ラック９ａの凸状部４３が、壁出し水栓金具４の凹状溝部４４に係合する（図６（Ｂ））。
さらに、洗剤用ラック９ａを矢印Ｃ1に示す方向にスライドさせると、図６（Ｃ）に示すように、基部２５に切欠き部３５ａが係合する。これにより、洗剤用ラック９ａが、壁出し水栓金具４に対して装着されて位置決め保持される。
このように、洗剤用ラック９ａは、壁出し水栓金具４の右側から左側に水平方向にスライド式に嵌め込めばよいので、極めて簡単な操作により、洗剤用ラック９ａを壁出し水栓金具４に対して着脱することができる。
また、凸状部４３が凹状溝部４４に係合するので、洗剤用ラック９ａは上下方向に動かないように拘束されることになり、よりしっかりと壁出し水栓金具４に位置決め保持される。
【００２８】
洗剤用ラック９ａが壁出し水栓金具４に装着されると、洗剤用ラック９ａのシンク側露出面４１ａは、シンク５のほぼ前側縁３０からほぼ後側縁３１に至るまで全体が平面状をなして基部２５を覆っている。したがって、基部２５とシンク側露出面４１ａとの間に段差や余計な突起が生じることはなく、清掃性と見栄えが向上する。
このように、第２実施例においても、シンク縁まわりの水栓部分（壁出し水栓金具４のところ）での余計な突起がなくなるので、シンク５での作業の邪魔にならず、清掃性と見栄えが向上し、また、洗剤用ラック９ａに収納された洗剤で天板部３が汚れる恐れもない。
【００２９】
二つの実施例にかかる洗剤用ラック９，９ａは、壁出し水栓金具４の基部２５の全体の寸法よりも一回り大きい寸法を有している。したがって、洗剤用ラック９，９ａを壁出し水栓金具４に装着すれば、基部２５の大部分を洗剤用ラック９，９ａで覆い隠すことができ、壁出し水栓金具４と洗剤用ラック９，９ａまわりの見栄えが向上する。
【００３０】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３１】
本発明は、天板部に設けられたシンクの内壁に壁出し水栓金具が取付けられ、且つ洗剤用ラックを装着可能な厨房家具に適用可能である。
【図面の簡単な説明】
【００３２】
【図１】図１ないし図４は本発明の第１の実施例を示す図で、図１は対面式キッチンの斜視図である。
【図２】洗剤用ラックを取付ける手順を示す斜視図である。
【図３】洗剤用ラックの斜視図である。
【図４】図２（Ｃ）のIV−IV線部分断面図である。
【図５】図５ないし図８は本発明の第２の実施例を示す図で、図５は対面式キッチンの斜視図である。
【図６】洗剤用ラックを取付ける手順を示す斜視図である。
【図７】洗剤用ラックの斜視図である。
【図８】図６（Ｃ）のVIII−VIII線部分断面図である。
【符号の説明】
【００３３】
１      対面式キッチン（厨房家具）
３      天板部
４      壁出し水栓金具
５      シンク
６      コンロバーナ
７      前方側作業領域
８      後方側作業領域
９ａ    洗剤用ラック
２５    基部
３０    前側縁
３１    後側縁
３５ａ  コ字状の切欠き部
３７ａ  内面
３８    基部の外面
４３    凸状部（係合部）
４４    凹状溝部（被係合部）
ＣＬ    中心軸線
【図１】
0005219458.tif 000002
【図２】
0005219458.tif 000003
【図３】
0005219458.tif 000004
【図４】
0005219458.tif 000005
【図５】
0005219458.tif 000006
【図６】
0005219458.tif 000007
【図７】
0005219458.tif 000008
【図８】
0005219458.tif 000009